(57)【要約】【課題】ブリスターが内容物を被せ、且つ中を取り出して触ったり、試着したりできるブリスター包装を提供する。      【解決手段】ブリスター包装は、特にブリスター包装の結合方式を指す。その構成は一部分もしくは全部が重畳した第一基板と第二基板及び少なくとも一つのブリスターを含む。第一基板と第二基板は相互に粘着もしくは結合する。第一基板上には複数の開口を設置し、第二基板上には予め設置した不粘着もしくは不結合の差込停止位置を具え、ブリスターの辺縁には複数の折曲板を設置する。上述の折曲板の位置は開口に対応して回転して第一基板と第二基板の間の差込停止位置に差し入れる。ブリスターと第一基板間の内容物が安定して包装され、少なくとも部分ブリスターは第一基板と分離/結合する。【選択図】図２
0003135259.tif 000002
【実用新案登録請求の範囲】
【請求項１】
第一基板、第二基板、少なくとも一つのブリスターから構成されたブリスター包装において、
板状で、第二基板と部分もしくは全部が重畳した上に複数の開口を設置し、その開口の位置はブリスターの折曲板に対応する第一基板と、
板状で、第一基板と部分もしくは全部が重畳し、上部が第一基板の開口の側辺位置上で第一基板と片方粘着もしくは結合する第二基板と、
内容物を納置して包む形状で、その辺縁は複数の折曲板を具え、それが開口に対応し、開口に差込み、第一基板と第二基板の粘着していない、もしくは結合した側辺位置の中に入れる少なくとも一つのブリスターを含み、
上述の構成により、ブリスターが内容物を包み込み、その折曲板を第一基板と第二基板の間に入れてブリスター包装を形成することを特徴とするブリスター包装。
【請求項２】
前記ブリスターは、折曲の構造を具えることを特徴とする請求項１記載のブリスター包装。
【請求項３】
前記ブリスターは、複数の個体から構成されることを特徴とする請求項１記載のブリスター包装。
【請求項４】
前記第一基板は、複数の個体から構成されることを特徴とする請求項１記載のブリスター包装。
【請求項５】
前記第二基板は、複数の個体から構成されることを特徴とする請求項１記載のブリスター包装。
【請求項６】
前記複数の折曲板は、そのうち部分が固定されることを特徴とする請求項１記載のブリスター包装。
【請求項７】
前記第一基板と第二基板の結合は、一時性の結合とし、複数の個体から構成されることを特徴とする請求項１記載のブリスター包装。
【請求項８】
前記第一基板と第二基板の結合は、一時性の結合とし、フックの結合とすることを特徴とする請求項１記載のブリスター包装。
【考案の詳細な説明】
【技術分野】
【０００１】
本考案は、包装構造に関するもので、特にブリスターで包装するものである。
【背景技術】
【０００２】
市場において、ブリスターで包装は非常に普及している。ブリスターは主に透明体であるため、顧客に内容物をはっきりと見せ、顧客の信頼感を得て購入させるだけでなく、内容物の保護作用も兼ね備えている。そのため将来的にこの包装方法は更に普及びしていくと思われる。
【０００３】
ブリスター包装の方式は主に一基板(大抵は紙のカード)上に於いてブリスターを熱密封方式で結合し、ブリスターと基板間に内容物を置く。ブリスターは大抵透明のビニール材で作られているため、その製造はほぼ内容物の形状と同じで内容物を包む。また，熱密封はほとんどがブリスター全体の外縁に沿って一辺縁を作り、次にその辺縁と基板を加熱方式で加圧結合(熱密封)する。
【０００４】
図１に示すのは、一典型的な実施例で、ブリスターＡの周囲には折曲した辺縁Ｂを具え、その辺縁Ｂは熱密封(通常別に糊処理を必要とする)方式で基板Ｃ上で結合する。
【特許文献１】特開２００６−３４１８７４号公報
【考案の開示】
【考案が解決しようとする課題】
【０００５】
解決しようとする問題点は、下述の点である。
１．一旦包装を開いて内容物を取り出すと、ブリスターと基板が分離してしまい、包装は壊れてしまうため、ブリスターと基板は廃棄しなければならなくなる。
２．内容物を見ることはできるが、購入者が直接触ったり、試着したりできない。
【課題を解決するための手段】
【０００６】
本考案は、特にブリスター包装の結合方式を指す。その構成は一部分もしくは全部が重畳した第一基板と第二基板及び少なくとも一つのブリスターを含む。第一基板と第二基板は相互に粘着もしくは結合する。第一基板上には複数の開口を設置し、第二基板上には予め設置した不粘着もしくは不結合の差込停止位置を具え、ブリスターの辺縁には複数の折曲板を設置する。上述の折曲板の位置は開口に対応して回転して第一基板與第二基板の間の差込停止位置に差し入れる。ブリスターと第一基板間の内容物が安定して包装され、少なくとも部分ブリスターは第一基板と分離/結合することを最も主要な特徴とする。
【考案の効果】
【０００７】
本考案のブリスター包装は、下述の利点がある。
１．ブリスターが内容物を被せ、且つ中を取り出して触ったり、試着したりできる。
２．商品を購入して使用した後、元のブリスター包装内に戻し、物品の保管として使用でき、物品の保管状態を良好にする。
３．ブリスター包装の本体可を残すことができるので、公知のように廃棄物にしなくてもよい。
【考案を実施するための最良の形態】
【０００８】
一種のブリスター包装を提供し、二つの相對する重畳した基板を具え、その二基板の間には予め開口の隙間を具える。一ブリスター部は二基板間の予め設置した隙間内の折辺で差込/取出をする。設置した内容物をブリスターと基板間に置いた後、折辺の開口から隙間内に差込み、部分もしくは全部の折辺に固定されることを本考案の主な目的とする。
【０００９】
一種のブリスター包装を提供し、上述の包裝構造において、ブリスターの部分折辺が固定され、部分の折辺は隙間から戻し、内容物に触ったり、取り出したりする。更に内容物を再び戻しいれ、折辺を再び隙間内に差し入れると、完全な包装に戻ることを本考案の別の目的とする。
【００１０】
一種のブリスター包装を提供し、そのうちブリスターには更に畳み折り等動作の構造を具え、且つその折辺は可動式(隙間で出し入れする )で，部分ブリスターを開ける構造を形成し、内容物を部分ブリスターが開いた状態で触ったり、取り出したり、もしくは戻したりすることを本考案の更に別の目的とする。
【００１１】
一種のブリスター包装を提供し、そのうち二基板の両者は各々複数の単体構造とすることを本考案の更に別の目的とする。
【００１２】
一種のブリスター包装を提供し、そのうちブリスターは複数の個体に分け、且つそのうち少なくとも一ブリスターの個体は基板と分離/結合することを本考案の別の目的とする。
【００１３】
前述の相対する二基板の結合は粘着、挟持、釘打ちもしくはフック状での結合方式で二基板を結合し、その結合は永久性結合もしくは一時性結合とする。
【実施例１】
【００１４】
図２、図３に示すとおり、本考案のブリスター包装構造は二つの相対した一部もしくは全部が重畳した基板を具え、それぞれを第一基板１０と第二基板２０とする。第一基板１０上には複数の開口１１を設置し、少なくとも一ブリスター３０を具え、そのブリスター３０の辺縁には複数の折曲板３１設置し、これら折曲板３１の位置は開口１１の位置に対応する。
【００１５】
上述の構造において、第二基板２０の複数位置（点線で表示）には折曲板３１を差し込むための差込停止位置２１を具え、第一基板１０と第二基板２０を予め粘着もしくは結合するが、差込停止位置２１は予め粘着もしくは結合しない。差込停止位置２１は開口１１の相互に対応する位置となり、その差込停止位置２１は開口１１から差し込んで折曲板３１を受け入れ、予定方向に向けて差込停止位置２１内に差し込み、折曲板３１を第一基板１０と第二基板２０とに挟持された状態にする。
【００１６】
ブリスター３０内に内容物(図５、図６参照)を入れ、折曲板３１を開口１１に差込み、差込停止位置２１内で留めると、ブリスター包装が安定状態になる。更に安定した固定状態にしたい場合、その内の複数の折曲板３１と差込停止位置２１を後方糊付け方式で予め粘着もしくはその他方式（例釘打ち、挟持等）で結合しておく。
【００１７】
図４、図５、図６に示すのは、本考案のブリスター包装を形成する一実施例である。ブリスター部分を第一区塊４１と第二区塊４２に分ける。第一区塊４１と第二区塊４２間には折線４３及び接合辺４４を具える。図５に示すとおり、第一区塊４１の折曲板４５を第一基板１０の開口１１から引き出すと、開いた状態になり、内容物５０を触ったり、取り出したりすることができる。図６に示すのは、ブリスター包装内の内容物５０を取り出した状態図で、内容物５０を再びブリスター包装内に戻すと、図５の状態に回復し、更に折曲板４５を開口１１内に入れると、図４に示す状態に戻る。
【００１８】
更に図７に示すとおり、ブリスターを第一ブリスター部６１と第二ブリスター部６２に分けて構成する。そのうち、第一ブリスター部６１は可動式( ブリスター６１の折曲板６１１が第一基板１０と第二基板２０の間の予定差込停止位置６１２内で分離/結合する )で、内容物７０を触ったり、取出/差戻したりすることができる。
【００１９】
上述実施例はまたブリスターが複数のブリスターの個体から構成され、そのうち少なくとも一ブリスター部は折曲板を具え、隙間（差込停止位置）で差込停止する。
【００２０】
図８に示すとおり、第一基板は複数の個体８１、８２、８３から構成される。その主な特徴として、第二基板９０と共にブリスター１００の折曲板１０１が定位され、且つ部分もしくは全部の折曲板１０１が第一基板８１、８２、８３と第二基板９０の予め設置した差込停止位置８２１において、抜出/差込する。
【００２１】
図８に示した状態において、第一基板と第二基板はそれぞれ少なくとも一個体から構成される。
【実施例２】
【００２２】
図９に示すとおり、第一基板１１０と第二基板１２０の間の結合方式は分離した後再び接着結合する。両者が対応する箇所にはそれぞれ凸塊１２１と凹槽１１１を設置し、ブリスター１３０、１３１のうちのブリスター１３１は第一基板１１０と分離/結合する。
【実施例３】
【００２３】
図１０に示すとおり、第一基板１４０、１４１、１４２と第二基板１５０もまた分離した後接着結合する（予め複数の分離する接着線１５１を設置する）。そのうちブリスター１６０、１６１内のブリスター１６１は第一基板１４０と分離/結合する。 
【００２４】
上述からわかるとおり、本考案のブリスター包装の構造形態は公知のブリスター包装の構造形態と異なり、構造形態が異なることで、機能性も異なり、本考案は極めて実用的なブリスター包装と言える。
【００２５】
本考案が示したのは、良好な実施例であり、局部の変更もしくは修飾は本考案の技術思想に基づき、本考案の範囲に属する。
【図面の簡単な説明】
【００２６】
【図１】公知ブリスター包装の構造指示図である。
【図２】本考案の本考案ブリスター包装の構造分解図である。
【図３】本考案のブリスター包装の構造指示図（組合せ状態）である。
【図４】本考案のブリスター包装の実施例である。
【図５】図４実施例の別の状態である。
【図６】図５の内容物が取り出されたブリスター包装である。
【図７】本考案のブリスター包装の部分ブリスターが分離された状態図例である。
【図８】本考案のブリスター包装の複数個の第一基板を示す実施例である。
【図９】本考案のブリスター包装の別の実施例である。
【図１０】本考案のブリスター包装の更に別の実施例である。
【符号の説明】
【００２７】
１０        第一基板
１１        開口
２０        第二基板
２１        差込停止位置
３０        ブリスター
３１        折曲板
４１        第一区塊
４２        第二区塊
４３        折線
４４        接合辺
４５        折曲板
５０        内容物
６１        第一ブリスター部
６１１        折曲板
６１２        差込停止位置
６２        第二ブリスター部
７０        内容物
８１        第一基板の個体
８２        第一基板の個体
８３        第一基板の個体
８２１        差込停止位置
９０        第二基板
１００        ブリスター
１０１        折曲板
１１０        第一基板
１１１        凹槽
１２０        第二基板
１２１        凸塊
１３０        ブリスター
１３１        ブリスター
１４０        第一基板
１４１        第一基板
１４２        第一基板
１５０        第二基板
１５１        接着線
１６０        ブリスター
１６１        ブリスター
【図１】
0003135259.tif 000003
【図２】
0003135259.tif 000004
【図３】
0003135259.tif 000005
【図４】
0003135259.tif 000006
【図５】
0003135259.tif 000007
【図６】
0003135259.tif 000008
【図７】
0003135259.tif 000009
【図８】
0003135259.tif 000010
【図９】
0003135259.tif 000011
【図１０】
0003135259.tif 000012